(57)【要約】【課題】設備投資の負担を軽減することができ、貼付手段や印刷手段の操作を楽に行えるようにすること。【解決手段】ラベル貼付システム１０は、貼付装置１１と、この貼付装置１１を操作するためのコントローラ１２とを備えて構成されている。コントローラ１２は、実際にラベルＬに印刷される印刷動作情報Ｆ２及びラベル貼付のための貼付操作情報Ｆ３を無線送信する。貼付装置１１は、ラベルＬを被着体Ｗに貼付する貼付手段２０と、貼付前のラベルＬに印刷する印刷手段２１と、印刷動作情報Ｆ２及び貼付動作情報Ｆ３１を受信する貼付装置用通信手段２４と、この貼付装置用通信手段２４が受信した情報により貼付手段２０及び印刷手段２１の動作を制御する制御手段２５とを備えている。【選択図】図１
2008213896.tif 000002
【特許請求の範囲】
【請求項１】
ラベルに印刷処理を行った後、当該ラベルを所定の被着体に貼付可能に設けられた貼付装置と、この貼付装置を操作するためのコントローラとを備えたラベル貼付システムであって、
前記コントローラは、前記印刷のための印刷操作情報及びラベル貼付のための貼付操作情報を入力する入力手段と、
前記印刷操作情報を、実際にラベルに印刷される印刷動作情報に変換する機能と前記貼付操作情報を貼付動作情報に変換する機能とを有する変換手段と、
前記印刷動作情報及び貼付動作情報を無線送信するコントローラ用通信手段とを備え、
前記貼付装置は、剥離シートの一方の面にラベルが仮着された原反を繰り出す途中で当該ラベルを剥離して前記被着体にラベルを貼付可能な貼付手段と、
この貼付手段に設けられて貼付前のラベルに印刷する印刷手段と、
前記コントローラ用通信手段から送信される各情報を受信する貼付装置用通信手段と、
この貼付装置用通信手段が受信した貼付動作情報及び印刷動作情報により印刷手段及び貼付手段の動作を制御する制御手段と
を備えていることを特徴とするラベル貼付システム。
【請求項２】
前記コントローラ用通信手段は、所定のサーバから通信網を介して前記変換手段を機能させるための印刷情報処理用プログラムを受信する機能を更に備え、
前記コントローラは、コントローラ用通信手段が受信した印刷情報処理用プログラムを記憶する記憶手段を更に含み、
前記変換手段は、記憶手段に記憶された印刷情報処理用プログラムにより前記印刷操作情報を処理して印刷動作情報に変換することを特徴とする請求項１記載のラベル貼付システム。
【請求項３】
前記コントローラ用通信手段は、所定のサーバから通信網を介して前記変換手段を機能させるための貼付情報処理用プログラムを受信する機能を更に備え、
前記コントローラは、コントローラ用通信手段が受信した貼付情報処理用プログラムを記憶する記憶手段を更に含み、
前記変換手段は、記憶手段に記憶された貼付情報処理用プログラムにより前記貼付操作情報を処理して貼付動作情報に変換することを特徴とする請求項１記載のラベル貼付システム。
【請求項４】
前記貼付装置は、その現状情報を検知する検知手段を更に含み、
前記貼付装置用通信手段は、検知手段が検知した現状情報を無線送信する機能を更に備えていることを特徴とする請求項１，２又は３記載のラベル貼付システム。
【請求項５】
前記コントローラは、携帯電話により構成されていることを特徴とする請求項１ないし４の何れかに記載のラベル貼付システム。
【請求項６】
ラベルを貼付可能な貼付装置をコントローラにより操作して所定の被着体にラベルを貼付するラベル貼付方法において、
コントローラの入力手段を介して印刷のための印刷操作情報及びラベル貼付のための貼付操作情報を入力するステップと、
コントローラの変換手段が前記印刷操作情報を実際にラベルに印刷される印刷動作情報に変換する処理と、貼付操作情報を貼付動作情報に変換する処理とを行うステップと、
コントローラのコントローラ用通信手段が前記印刷動作情報及び貼付動作情報を無線送信するステップと、
貼付装置の貼付装置用通信手段により、印刷動作情報及び貼付動作情報を無線受信するステップと、
貼付装置の制御手段が、貼付装置用通信手段が受信した貼付動作情報及び印刷動作情報を制御し、貼付装置の印刷手段によりラベルに印刷を行った後、貼付装置の貼付手段により剥離シートの一方の面にラベルが仮着された原反を繰り出す途中で当該ラベルを剥離して前記被着体にラベルを貼付するステップと
を備えていることを特徴とするラベル貼付方法。
【請求項７】
前記入力手段による入力を行うステップの前に、前記コントローラ用通信手段によりサーバから通信網を介して印刷情報処理用プログラムと貼付情報処理用プログラムとを受信し、コントローラの記憶手段に記憶するステップとを備えていることを特徴とする請求項６記載のラベル貼付方法。
【請求項８】
前記貼付装置によるラベルの貼付中又は貼付の前後に、貼付装置の検知手段を介して現状情報を検知するステップと、前記貼付装置用通信手段を介して現状情報を無線送信するステップと、貼付装置用通信手段により送信された現状情報をコントローラ用通信手段により受信するステップとを備えていることを特徴とする請求項６又は７記載のラベル貼付方法。
【発明の詳細な説明】
【技術分野】
【０００１】
本発明は、ラベル貼付システム及び貼付方法に係り、更に詳しくは、貼付装置により貼付されるラベルの印刷内容をコントロールすることができるラベル貼付システム及び貼付方法に関する。
【背景技術】
【０００２】
従来より、帯状の剥離シートの一方の面にラベルが仮着された原反を繰り出す過程でラベルを剥離して被着体に貼付する貼付装置が利用されている（特許文献１参照）。また、かかる貼付装置にプリンタを設けた装置も利用されており、同装置では、原反から繰り出されて剥離される前のラベルに、プリンタにより所定の印刷を行えるようになっている。このような貼付装置にあっては、原反の繰り出し及びその停止や、原反の繰り出し速度の調整を操作するための操作盤を備えている。更に、前記プリンタを設けたタイプのものでは、印刷内容を入力及び編集可能なパーソナルコンピュータが並設されている。
【０００３】
【特許文献１】特開２００１−１１４２３５号公報
【特許文献２】特開２００５−３３５３１７号公報
【発明の開示】
【発明が解決しようとする課題】
【０００４】
しかしながら、前述した構成では、貼付装置やプリンタを制御するため、操作盤やパーソナルコンピュータを設けることが不可欠となる。この操作盤等は大掛かりとなったり、高価となったりする場合が多く、設備投資の負担が増大する、という不都合がある。
また、広大な面積を有する工場に貼付装置を設置すると、操作盤等を操作する毎に、作業者が貼付装置の設置位置に近付いて作業する等、多大な労力と時間が必要になるという不都合を生じる。しかも、複雑な製造ラインに貼付装置を組み込んだ場合、貼付装置に近付くこと自体が困難であり危険も伴う他、そのルートを確保する手間が煩雑になる、という不都合もある。従って、作業者が貼付装置に近付くことなく、貼付装置やプリンタの動作を操作可能とする要請がある。
【０００５】
ここで、引用文献２には、携帯電話等により送信された情報を赤外線通信により受信し、印刷を行うプリンタが開示されている。同文献は、送受信された情報に応じて印刷を行うだけのものであって、プリンタ本体を制御しているものではなく、プリンタ本体の起動／停止や印刷後の用紙の送り速度、その送り量、インク又はインクリボンの残量検知等の操作はプリンタ側で行わなければならない。つまり、同文献のようなプリンタにあっても、前記要請を十分に満たすことができなくなる。
【０００６】
［発明の目的］
本発明は、前述の不都合に着目しつつ前記要請に対応するように案出されたものであり、その目的は、設備投資の負担を軽減することができ、貼付手段や印刷手段の操作を楽に行うことができるラベル貼付システム及び貼付方法を提供することにある。
【課題を解決するための手段】
【０００７】
前記目的を達成するため、本発明は、ラベルに印刷処理を行った後、当該ラベルを所定の被着体に貼付可能に設けられた貼付装置と、この貼付装置を操作するためのコントローラとを備えたラベル貼付システムであって、
前記コントローラは、前記印刷のための印刷操作情報及びラベル貼付のための貼付操作情報を入力する入力手段と、
前記印刷操作情報を、実際にラベルに印刷される印刷動作情報に変換する機能と前記貼付操作情報を貼付動作情報に変換する機能とを有する変換手段と、
前記印刷動作情報及び貼付動作情報を無線送信するコントローラ用通信手段とを備え、
前記貼付装置は、剥離シートの一方の面にラベルが仮着された原反を繰り出す途中で当該ラベルを剥離して前記被着体にラベルを貼付可能な貼付手段と、
この貼付手段に設けられて貼付前のラベルに印刷する印刷手段と、
前記コントローラ用通信手段から送信される各情報を受信する貼付装置用通信手段と、
この貼付装置用通信手段が受信した貼付動作情報及び印刷動作情報により印刷手段及び貼付手段の動作を制御する制御手段と
を備える、という構成を採っている。
【０００８】
本発明において、前記コントローラ用通信手段は、所定のサーバから通信網を介して前記変換手段を機能させるための印刷情報処理用プログラムを受信する機能を更に備え、
前記コントローラは、コントローラ用通信手段が受信した印刷情報処理用プログラムを記憶する記憶手段を更に含み、
前記変換手段は、記憶手段に記憶された印刷情報処理用プログラムにより前記印刷操作情報を処理して印刷動作情報に変換する、という構成も好ましくは採用される。
【０００９】
また、前記コントローラ用通信手段は、所定のサーバから通信網を介して前記変換手段を機能させるための貼付情報処理用プログラムを受信する機能を更に備え、
前記コントローラは、コントローラ用通信手段が受信した貼付情報処理用プログラムを記憶する記憶手段を更に含み、
前記変換手段は、記憶手段に記憶された貼付情報処理用プログラムにより前記貼付操作情報を処理して貼付動作情報に変換する、という構成も採用することが好ましい。
【００１０】
更に、前記貼付装置は、その現状情報を検知する検知手段を更に含み、
前記貼付装置用通信手段は、検知手段が検知した現状情報を無線送信する機能を更に備える、という構成も採用することができる。
【００１１】
また、前記コントローラは、携帯電話により構成されることが好ましい。
【００１２】
更に、本発明のラベル貼付方法は、ラベルを貼付可能な貼付装置をコントローラにより操作して所定の被着体にラベルを貼付するラベル貼付方法において、
コントローラの入力手段を介して印刷のための印刷操作情報及びラベル貼付のための貼付操作情報を入力するステップと、
コントローラの変換手段が前記印刷操作情報を実際にラベルに印刷される印刷動作情報に変換する処理と、貼付操作情報を貼付動作情報に変換する処理とを行うステップと、
コントローラのコントローラ用通信手段が前記印刷動作情報及び貼付動作情報を無線送信するステップと、
貼付装置の貼付装置用通信手段により、印刷動作情報及び貼付動作情報を無線受信するステップと、
貼付装置の制御手段が、貼付装置用通信手段が受信した貼付動作情報及び印刷動作情報を制御し、貼付装置の印刷手段によりラベルに印刷を行った後、貼付装置の貼付手段により剥離シートの一方の面にラベルが仮着された原反を繰り出す途中で当該ラベルを剥離して前記被着体にラベルを貼付するステップと
を備える、という方法を採っている。
【００１３】
また、前記ラベル貼付方法において、前記入力手段による入力を行うステップの前に、前記コントローラ用通信手段によりサーバから通信網を介して印刷情報処理用プログラムと貼付情報処理用プログラムとを受信し、コントローラの記憶手段に記憶するステップとを備えることが好ましい。
【００１４】
更に、前記貼付装置によるラベルの貼付中又は貼付の前後に、貼付装置の検知手段を介して現状情報を検知するステップと、前記貼付装置用通信手段を介して現状情報を無線送信するステップと、貼付装置用通信手段により送信された現状情報をコントローラ用通信手段により受信するステップとを備えるようにしてもよい。
【発明の効果】
【００１５】
本発明によれば、コントローラにより貼付手段や印刷手段の動作を操作可能としたので、従来のように高価なパーソナルコンピュータを貼付装置に並設する必要性をなくすことができる他、操作盤を省略した構成としたり小型で簡略な構成としたりすることが可能となる。これにより、貼付装置の設備コストを削減することができるばかりでなく、設置スペースのコンパクト化を図ることができる。しかも、コントローラにより無線で貼付手段及び印刷手段を遠隔操作できるので、貼付装置を操作するために当該貼付装置に近付く手間を排除することができる。これにより、作業者の労力を軽減することが可能となり、例えば、動作不良による不意の警告時であっても、非常停止等で迅速に対応することができる他、製造ラインにおいて、作業者が貼付装置に近付く回数を減少させることで、危険回避ができる。
【００１６】
また、通信網を介して前述の各プログラムを受信可能とすることにより、当該プログラムを容易に入手して利用することができる。これにより、貼付装置が複数台設置された場合であっても、各貼付装置用のプログラムをシリアル管理しておくことで、コントローラは１台でまかなうことができる。
【００１７】
更に、貼付装置の現状情報を検知して無線送信可能とした場合、貼付装置から離れた場所であっても、印刷手段のインク又はインクリボンの残量検知、ラベルの残量やラベル切れ、印字不良、ラベル繰出不良、ラベル貼付不良等の装置の異常情報を容易に把握することができる。
【００１８】
また、広く普及している携帯電話によりコントローラを構成したので、特別な装置を別途製作したり準備したりする必要性をなくすことができ、設備に要するコスト的な負担をより一層軽減することが可能となる。
【発明を実施するための最良の形態】
【００１９】
以下、本発明の実施の形態について図面を参照しながら説明する。
【００２０】
図１には、本発明に係るラベル貼付システムの概略構成図が示されている。この図において、ラベル貼付システム１０は、工場Ｆ内に設けられてラベルＬを被着体Ｗに貼付する貼付装置１１と、この貼付装置１１を操作するためのコントローラ１２とを備えて構成されている。コントローラ１２は、インターネット機能付き携帯電話からなり、通信網としてのインターネット網１４を介してサーバ１５から後述する印刷情報処理用プログラムＰ１及び貼付情報処理用プログラムＰ２を受信可能に設けられている。サーバ１５は、貼付装置１１或いはコントローラ１２のメーカーやメンテナンスを行う団体に設置若しくは管理されるコンピュータからなる。
【００２１】
ここで、本実施形態におけるラベル貼付システム１０において送受信される情報は、印刷操作情報Ｆ１、印刷動作情報Ｆ２、貼付操作情報Ｆ３、貼付動作情報Ｆ３１、現状情報Ｆ４があり、また、前記印刷情報処理用プログラムＰ１及び貼付情報処理用プログラムＰ２もある。
【００２２】
前記印刷操作情報Ｆ１は、コントローラ１２を操作する作業者が後述する入力手段を介して、印刷動作情報Ｆ２を作成するために入力する情報である。
前記印刷動作情報Ｆ２は、ラベルＬに実際に印刷されて表示される情報であり、具体例としては、図２に示されるような印刷内容となる。また、印刷動作情報Ｆ２としては、印刷手段２１の起動／停止の情報や、印刷の有無の情報、テキストデータ、文字の書体、サイズ、配置や図形、写真等が例示できる。
前記貼付操作情報Ｆ３は、コントローラ１２を操作する作業者が後述する入力手段を介して、貼付動作情報Ｆ３１を作成するために入力する情報である。
前記貼付動作情報Ｆ３１は、貼付装置１１の起動／停止、又は、非常停止、後述する原反の繰り出しの開始及び停止のタイミング、繰り出し速度、ラベルＬの貼付枚数、後述の剥離手段からのラベル突出量等が例示できる。
前記現状情報Ｆ４は、後述する印刷手段２１で使用するインク又はインクリボンの残量、ラベルＬの残量やラベル切れ、印字不良、ラベル繰出不良、ラベル貼付不良等のリアルタイムの状態を示す情報である。
前記印刷情報処理用プログラムＰ１は、後述する変換手段により印刷操作情報Ｆ１を印刷動作情報Ｆ２に変換する機能を有するアプリケーションである。
前記貼付情報処理用プログラムＰ２は、後述する変換手段により貼付操作情報Ｆ３を貼付動作情報Ｆ３１に変換する機能を有するアプリケーションである。
【００２３】
前記貼付装置１１は、貼付手段２０、印刷手段２１、検知手段２２、貼付装置用通信手段２４及び制御手段２５を含んで構成されている。
【００２４】
前記貼付手段２０は、帯状をなす剥離シートＲＬの一方の面にラベルＬが仮着された原反Ｒを繰り出し可能に支持する支持ロール２７と、原反Ｒを繰り出す途中で急激に反転させることで、剥離シートＲＬからラベルＬが一枚ずつ剥離可能な剥離手段２８と、原反Ｒに繰出力を付与する繰出手段２９と、ラベルＬが剥離された後の剥離シートＲＬを巻き取る巻取手段３０とを備え、剥離手段２８の近傍を通過する被着体ＷにラベルＬを貼付できるようになっている。
【００２５】
前記印刷手段２１は、前記剥離手段２８より支持ロール２７側に設けられ、当該剥離手段２８により剥離される前のラベルＬ表面に印刷を行う。印刷手段２１は、貼付装置用通信手段２４と制御手段２５とを介して取得した印刷動作情報Ｆ２に基づいて印刷処理を施すようになっている。なお、印刷手段２１としては、インキリボンを使用してサーマルヘッドにより印刷したり、ラベルを感熱紙としてサーマルヘッドにより印刷したりする他、インクジェットプリンタやレーザプリンタ等を採用してもよい。
【００２６】
前記検知手段２２は、印刷手段２１で使用するインク又はインクリボンの残量、原反Ｒの繰出速度やラベルＬの貼付枚数やその残量、更に、印刷手段２１での印字不良、ラベル繰出不良、ラベル貼付不良等、すなわち前記現状情報Ｆ４を検知可能なセンサにより構成されている。
【００２７】
前記貼付装置用通信手段２４は、赤外線通信によりコントローラ１２から送信される印刷動作情報Ｆ２及び貼付動作情報Ｆ３１を無線で受信する機能と、赤外線通信により前記現状情報Ｆ４を無線送信する機能とを備えている。
【００２８】
前記制御手段２５は、貼付装置用通信手段２４が受信した貼付動作情報Ｆ３１及び印刷動作情報Ｆ２により貼付手段２０及び印刷手段２１の起動／停止を含む動作を制御可能に設けられている。具体的には、印刷の有無を含む印刷動作情報Ｆ２に応じ、印刷内容をラベルＬに印刷するように印刷手段２１をコントロールし、また、貼付動作情報Ｆ３１に応じて、貼付装置１１の起動／停止、又は、非常停止、前記繰出手段２９を制御し、原反Ｒの繰り出しや剥離手段２８からのラベルＬ突出量等をコントロールする。また、検知手段２２が検知した現状情報Ｆ４の貼付装置用通信手段２４による送信をコントロールする。
【００２９】
前記コントローラ１２は、図３に示されるように、入力手段４１、コントローラ用通信手段４２、記憶手段４４及び変換手段４５を含んで構成されている。
【００３０】
前記入力手段４１は、図示しない携帯電話のキー等からなり、所定操作によって前記印刷操作情報Ｆ１及び貼付操作情報Ｆ３を入力する機能を備えている。
【００３１】
前記コントローラ用通信手段４２は、赤外線通信により前記印刷動作情報Ｆ２及び貼付動作情報Ｆ３１を無線で送信する機能と、赤外線通信により前記現状情報Ｆ４を無線受信する機能と、前記サーバ１５からインターネット網１４を介して前記印刷情報処理用プログラムＰ１及び貼付情報処理用プログラムＰ２を受信する機能とを備えている。
【００３２】
前記記憶手段４４は、前記印刷情報処理用プログラムＰ１及び貼付情報処理用プログラムＰ２を記憶して保存可能なメモリやハードディスク等からなる。
【００３３】
前記変換手段４５は、記憶手段４４に記憶された印刷情報処理用プログラムＰ１及び貼付情報処理用プログラムＰ２により、前記印刷操作情報Ｆ１を印刷動作情報Ｆ２に変換し、また、貼付操作情報Ｆ３を貼付動作情報Ｆ３１に変換可能なＣＰＵ等を含む処理装置からなる。
【００３４】
ここで、印刷情報処理用プログラムＰ１について、更に詳述すると、当該印刷情報処理用プログラムＰ１は、前記入力手段４１からの印刷操作情報Ｆ１を読み込む入力部と、この入力部から印刷操作情報Ｆ１に応じたテキストデータや書体等に変換して印刷動作情報Ｆ２を作成する変換部と、この変換部が作成した印刷動作情報Ｆ２をコントローラ用通信手段４２に出力する出力部とを備えている。
また、貼付情報処理用プログラムＰ２は、入力手段４１からの貼付操作情報Ｆ３を読み込む入力部と、この入力部からの貼付操作情報Ｆ３に応じた原反Ｒの繰り出し速度等に変換して貼付動作情報Ｆ３１を作成する変換部と、この変換部が作成した貼付動作情報Ｆ３１をコントローラ用通信手段４２に出力する出力部とを備えている。
【００３５】
次に、前記ラベル貼付システム１０の種々の作用について、図４及び図５のフローチャートを用いて説明する。
【００３６】
コントローラ１２を操作する作業者が貼付装置１１によりラベルＬに印刷を行い当該ラベルＬの貼付を行う場合、図４に示されるフローチャートに沿って貼付装置１１及びコントローラ１２の処理が行われる。
先ず、コントローラ用通信手段４２によりサーバ１５からインターネット網１４を介して前記印刷情報処理用プログラムＰ１と貼付情報処理用プログラムＰ２とを受信し、記憶手段４４に記憶する（Ｓ１１）。その後、作業者が入力手段４１を介して印刷操作情報Ｆ１並びに、貼付操作情報Ｆ３を入力すると（Ｓ１２）、記憶手段４４に記憶された印刷情報処理用プログラムＰ１を用いて変換手段４５が印刷操作情報Ｆ１を印刷動作情報Ｆ２に変換する処理を行う一方、貼付情報処理用プログラムＰ２を用いて変換手段４５が貼付操作情報Ｆ３を貼付動作情報Ｆ３１に変換する処理を行う（Ｓ１３）。次いで、コントローラ用通信手段４２が変換手段４５により変換された印刷動作情報Ｆ２及び、貼付動作情報Ｆ３１を赤外線通信により無線で送信し（Ｓ１４）、これら印刷動作情報Ｆ２と貼付動作情報Ｆ３１とを貼付装置用通信手段２４により無線受信する（Ｓ１５）。そして、貼付装置１１の制御手段２５により、印刷手段２１及び繰出手段２９を作動させる。起動指令を受けた貼付装置１１は、印刷動作情報Ｆ２と貼付動作情報Ｆ３１によって所定のタイミングで各ラベルＬに印刷を行った後剥離シートＲＬから剥離し、被着体ＷにラベルＬを貼付する（Ｓ１６）。なお、印刷動作情報Ｆ２には印刷の有無情報も含まれるため、作業者が入力手段４１を介して印刷を行わないと選択した場合は、印刷が行われないラベルＬが被着体Ｗに貼付されることとなる。
なお、記憶手段４４に予め印刷情報処理用プログラムＰ１及び、貼付情報処理用プログラムＰ２が記憶されている場合、前記ステップＳ１２から始めればよい。
【００３７】
このような処理の流れによれば、コントローラ１２によって印刷手段２１が印刷するために必要な印刷動作情報Ｆ２を作成でき、貼付装置１１においてパーソナルコンピュータ等を接続、設置する必要をなくすことができる。また、ラベルＬの印刷内容に応じた種々の印刷情報処理用プログラムＰ１を受信して利用することにより、印刷のバリエーションを容易に増やすことが可能となる。
【００３８】
また、コントローラ１２により貼付装置１１を遠方から操作できるので、作業者の移動量を少なくすることができ、貼付操作情報Ｆ３の設定や変更を迅速且つ容易に行うことが可能となる。
【００３９】
ここで、貼付装置１１によるラベルＬの貼付中又は貼付の前後において、前記現状情報Ｆ４を取得する場合、図５のフローチャートに示される処理が行われる。
先ず、貼付装置１１の検知手段２２を介して現状情報Ｆ４を検知し（Ｓ３１）、当該現状情報Ｆ４を貼付装置用通信手段２４を介して赤外線通信により無線送信する（Ｓ３２）。次いで、貼付装置用通信手段２４により送信された現状情報Ｆ４をコントローラ用通信手段４２により受信する（Ｓ３３）。これによれば、貼付装置１１におけるラベルＬの残量等を簡単且つ略リアルタイムに把握することができ、作業効率を向上させることが可能となる。
【００４０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対する種々の構成において、当業者が様々な変形を加えることができるものである。
例えば、コントローラ１２を携帯電話としたが、ＰＤＡ等前記コントローラ１２と同様に各情報の送受信を行える他の装置としてもよい。
【００４１】
また、貼付手段２０は、前述と同様にラベルＬの貼付を行える限りにおいて、種々の設計変更が可能である。
【００４２】
更に、本実施例では、コントローラ用通信手段４２を赤外線通信としたが、他の電波帯を利用した無線通信手段を使用してもよい。
【図面の簡単な説明】
【００４３】
【図１】本発明に係るラベル貼付システムの概略構成図。
【図２】印刷されたラベルの一例を示す平面図。
【図３】コントローラの構成を示すブロック図。
【図４】ラベルに印刷する処理とラベルを貼付する処理とを示すフローチャート。
【図５】貼付装置の状態を取得する処理を示すフローチャート。
【符号の説明】
【００４４】
１０  ラベル貼付システム
１１  貼付装置
１２  コントローラ
２０  貼付手段
２１  印刷手段
２２  検知手段
２４  貼付装置用通信手段
２５  制御手段
４１  入力手段
４２  コントローラ用通信手段
４４  記憶手段
４５  変換手段
Ｌ  ラベル
【図１】
2008213896.tif 000003
【図２】
2008213896.tif 000004
【図３】
2008213896.tif 000005
【図４】
2008213896.tif 000006
【図５】
2008213896.tif 000007